【手続補正書】
【提出日】平成17年6月17日(2005.6.17)
【手続補正１】
【補正対象書類名】明細書
【補正対象項目名】特許請求の範囲
【補正方法】変更
【補正の内容】
【特許請求の範囲】
【請求項１】
被写体を撮影して複数の撮影画像を生成する撮影手段と、上記撮影画像を表示する表示手段と、使用者の操作により上記表示手段に表示された撮影画像に対し、上記撮影画像に合成される第２画像を入力する入力手段と、上記撮影画像と第２画像を合成して合成画像を生成する画像合成手段と、上記合成画像を所定のシートレイアウトで出力する画像出力手段とを備え、
上記表示手段は左表示部と右表示部の２つの表示部を備えて構成され、上記入力手段は上記左表示部と右表示部のそれぞれに対応した左入力部と右入力部の２つの入力部を備えて構成され、
上記撮影手段で生成した複数の撮影画像を、上記左表示部と右表示部のそれぞれに振り分けて表示し、左表示部に表示された撮影画像に対しては左入力部で第２画像の入力が行われ、右表示部に表示された撮影画像に対しては右入力部で第２画像の入力が行われるように制御する制御手段を備えたことを特徴とする写真撮影装置。
【請求項２】
上記制御手段は、上記複数の撮影画像を上記左表示部および右表示部のそれぞれに自動的に振り分けて表示するように制御する請求項１記載の写真撮影装置。
【請求項３】
上記制御手段は、上記表示手段に上記複数の撮影画像を選択可能に一覧表示し、上記左入力部で選択された撮影画像を左表示部に表示し、右入力部で選択された撮影画像を右表示部に表示するように制御する請求項１記載の写真撮影装置。
【請求項４】
上記制御手段は、上記左表示部および右表示部のいずれかの表示部に表示するよう選択された撮影画像は、他方の表示部に表示するための選択をできないように制御する請求項３記載の写真撮影装置。
【請求項５】
被写体を撮影して複数の撮影画像を生成する撮影手段と、上記撮影画像を表示する表示手段と、使用者の操作により上記表示手段に表示された撮影画像に対し、上記撮影画像に合成される第２画像を入力する入力手段と、上記撮影画像と第２画像を合成して合成画像を生成する画像合成手段と、上記合成画像を所定のシートレイアウトで出力する画像出力手段とを備えた装置による写真提供方法であって、
上記表示手段は左表示部と右表示部の２つの表示部を備えて構成され、上記入力手段は上記左表示部と右表示部のそれぞれに対応した左入力部と右入力部の２つの入力部を備えて構成され、
上記撮影手段で生成した複数の撮影画像を、上記左表示部と右表示部のそれぞれに振り分けて表示し、左表示部に表示された撮影画像に対しては左入力部で第２画像の入力が行われ、右表示部に表示された撮影画像に対しては右入力部で第２画像の入力が行われるように制御することを特徴とする写真提供方法。
【請求項６】
上記複数の撮影画像を上記左表示部および右表示部のそれぞれに自動的に振り分けて表示するように制御する請求項５記載の写真提供方法。
【請求項７】
上記表示手段に上記複数の撮影画像を選択可能に一覧表示し、上記左入力部で選択された撮影画像を左表示部に表示し、右入力部で選択された撮影画像を右表示部に表示するように制御する請求項５記載の写真提供方法。
【請求項８】
上記左表示部および右表示部のいずれかの表示部に表示するよう選択された撮影画像は、他方の表示部に表示するための選択をできないように制御する請求項７記載の写真提供方法。
【手続補正２】
【補正対象書類名】明細書
【補正対象項目名】００１０
【補正方法】変更
【補正の内容】
【００１０】
【課題を解決するための手段】
上記の目的を達成するため、本発明の写真撮影装置は、被写体を撮影して複数の撮影画像を生成する撮影手段と、上記撮影画像を表示する表示手段と、使用者の操作により上記表示手段に表示された撮影画像に対し、上記撮影画像に合成される第２画像を入力する入力手段と、上記撮影画像と第２画像を合成して合成画像を生成する画像合成手段と、上記合成画像を所定のシートレイアウトで出力する画像出力手段とを備え、上記表示手段は左表示部と右表示部の２つの表示部を備えて構成され、上記入力手段は上記左表示部と右表示部のそれぞれに対応した左入力部と右入力部の２つの入力部を備えて構成され、上記撮影手段で生成した複数の撮影画像を、上記左表示部と右表示部のそれぞれに振り分けて表示し、左表示部に表示された撮影画像に対しては左入力部で第２画像の入力が行われ、右表示部に表示された撮影画像に対しては右入力部で第２画像の入力が行われるように制御する制御手段を備えたことを要旨とする。
また、本発明の写真提供方法は、被写体を撮影して複数の撮影画像を生成する撮影手段と、上記撮影画像を表示する表示手段と、使用者の操作により上記表示手段に表示された撮影画像に対し、上記撮影画像に合成される第２画像を入力する入力手段と、上記撮影画像と第２画像を合成して合成画像を生成する画像合成手段と、上記合成画像を所定のシートレイアウトで出力する画像出力手段とを備えた装置による写真提供方法であって、上記表示手段は左表示部と右表示部の２つの表示部を備えて構成され、上記入力手段は上記左表示部と右表示部のそれぞれに対応した左入力部と右入力部の２つの入力部を備えて構成され、上記撮影手段で生成した複数の撮影画像を、上記左表示部と右表示部のそれぞれに振り分けて表示し、左表示部に表示された撮影画像に対しては左入力部で第２画像の入力が行われ、右表示部に表示された撮影画像に対しては右入力部で第２画像の入力が行われるように制御することを要旨とする。
【手続補正３】
【補正対象書類名】明細書
【補正対象項目名】００１１
【補正方法】変更
【補正の内容】
【００１１】
すなわち、本発明は、上記表示手段は左表示部と右表示部の２つの表示部を備えて構成され、上記入力手段は上記左表示部と右表示部のそれぞれに対応した左入力部と右入力部の２つの入力部を備えて構成され、上記撮影手段で生成した複数の撮影画像を、上記左表示部と右表示部のそれぞれに振り分けて表示し、左表示部に表示された撮影画像に対しては左入力部で第２画像の入力が行われ、右表示部に表示された撮影画像に対しては右入力部で第２画像の入力が行われるように制御するため、左右の表示部と左右の入力部とのそれぞれで第２画像の入力ができ、複数人で利用する場合にそれぞれの利用者が楽しめ、満足できる。
【手続補正４】
【補正対象書類名】明細書
【補正対象項目名】００１２
【補正方法】変更
【補正の内容】
【００１２】
本発明において、上記複数の撮影画像を上記左表示部および右表示部のそれぞれに自動的に振り分けて表示するように制御することもできる。
【手続補正５】
【補正対象書類名】明細書
【補正対象項目名】００１３
【補正方法】変更
【補正の内容】
【００１３】
本発明において、上記制御手段は、上記表示手段に上記複数の撮影画像を選択可能に一覧表示し、上記左入力部で選択された撮影画像を左表示部に表示し、右入力部で選択された撮影画像を右表示部に表示するように制御する場合には、使用者が選択した好みの撮影画像を用いることができることから、より使用者が納得できる合成画像を得やすい。また、複数人で利用する場合にそれぞれの利用者が楽しめ、満足できる。
【手続補正６】
【補正対象書類名】明細書
【補正対象項目名】００１４
【補正方法】変更
【補正の内容】
【００１４】
本発明において、上記制御手段は、上記左表示部および右表示部のいずれかの表示部に表示するよう選択された撮影画像は、他方の表示部に表示するための選択をできないように制御する場合には、同じ撮影画像が２つのディスプレイの双方に表示されてしまうのが防止される。
【手続補正７】
【補正対象書類名】明細書
【補正対象項目名】００２１
【補正方法】変更
【補正の内容】
【００２１】
本発明において、２つ以上の撮影画像に第２画像を合成して出力する場合には、１回のプレイで使用者が納得できる合成を得やすく、使用者の満足度が高くなる。このため、プレイのやり直しの必要性が低下し、使用者にとっては時間と費用の節約となり、ゲームセンター等にとっては顧客の回転率の低下を防止できる。
【手続補正８】
【補正対象書類名】明細書
【補正対象項目名】００２３
【補正方法】変更
【補正の内容】
【００２３】
本発明において、どの撮影画像をどのディスプレイに表示するかの選択は、表示したい方のディスプレイにおいて、表示された撮影画像の一覧から所望の撮影画像を選択することにより行われる場合には、複数人で利用する場合にそれぞれの利用者が楽しめ、満足できる。
【手続補正９】
【補正対象書類名】明細書
【補正対象項目名】００９７
【補正方法】変更
【補正の内容】
【００９７】
【発明の効果】
以上のように、本発明の写真撮影装置および写真提供方法によれば、上記表示手段は左表示部と右表示部の２つの表示部を備えて構成され、上記入力手段は上記左表示部と右表示部のそれぞれに対応した左入力部と右入力部の２つの入力部を備えて構成され、上記撮影手段で生成した複数の撮影画像を、上記左表示部と右表示部のそれぞれに振り分けて表示し、左表示部に表示された撮影画像に対しては左入力部で第２画像の入力が行われ、右表示部に表示された撮影画像に対しては右入力部で第２画像の入力が行われるように制御するため、左右の表示部と左右の入力部とのそれぞれで第２画像の入力ができ、複数人で利用する場合にそれぞれの利用者が楽しめ、満足できる。